(57)【要約】【課題】直管形蛍光灯用の既存の防水タイプの照明器具に装着可能な直管形ＬＥＤランプを提供する。【解決手段】直管形蛍光灯の両端部に弾性防水パッキンを介装してカバーキャップ４を嵌合し、照明器具本体の一対のソケットに両キャップを螺合して前記蛍光灯を器具本体に装着するように構成した照明器具に、前記蛍光灯に代えて装着可能な直管形ＬＥＤランプであって、円形管体７０内に配設したＬＥＤ７２を光源とするランプ本体７と、ランプ本体の両端部から突出させて設け、前記両ソケットの接続端子に電気的に接続するピン端子８とを備える。ランプ本体の円形管体はポリカーボネートその他のプラスチック製管体で構成する。円形管体の外径の寸法は前記蛍光灯の外径の寸法と同一又は略同一寸法に形成する。【選択図】図１
2015088441.tif 000002
【特許請求の範囲】
【請求項１】
対設した一対のソケットを有する照明器具本体と、直管形蛍光灯の両端部に長手方向に移動可能に嵌合すると共に前記両ソケットのソケット本体に螺合して取付けられる略円筒状のカバーキャップと、前記蛍光灯の両端部に長手方向に移動可能に嵌合して前記キャップと前記蛍光灯の外周面との間に介装され、かつ、前記キャップと同調して前進移動させる略円筒状の弾性防水パッキンとを備え、前記蛍光灯の両端の一対のピン端子を前記両ソケット本体の接続端子に電気的に接続した状態で前記両キャップを前記ソケット本体にそれぞれ螺合して前記蛍光灯を前記器具本体に装着するように構成した既存の照明器具に、前記蛍光灯に代えて前記器具本体に適合して装着可能な直管形ＬＥＤランプであって、
円形パイプ状に一体成形した円形管体と、前記円形管体内に固定して前記円形管体の一端部から他端部に掛けて設けた基板と、前記基板に長手方向に所望の間隔で配設した複数個のＬＥＤとを有し、前記各ＬＥＤを光源として使用するランプ本体と、
前記ランプ本体の両端部から突出させて設け、前記両ソケット本体の前記接続端子に適合して電気的に接続される、それぞれ一対のピン端子とを備え、
前記ランプ本体の前記円形管体はプラスチック製管体で構成され、
前記円形管体の外径の寸法は前記直管形蛍光灯の外径の寸法と同一又は略同一寸法に形成されている
ことを特徴とする直管形ＬＥＤランプ。
【請求項２】
前記ランプ本体の前記円形管体はポリカーボード製管体で構成されていることを特徴とする請求項１に記載の直管形ＬＥＤランプ。
【請求項３】
前記基板は前記ランプ本体の前記円形管体内を長手方向に略二分するように配置して設けられていることを特徴とする請求項１又は２に記載の直管形ＬＥＤランプ。
【請求項４】
前記ランプ本体の前記円形管体は、前記ＬＥＤの光の投射側と反対側の部位における前記円形管体の外周面又は内周面の略全域に施された放熱性塗膜層を有していることを特徴とする請求項１ないし３のいずれかに記載の直管形ＬＥＤランプ。
【請求項５】
前記ランプ本体は、前記基板に固定して前記円形管体内に設けた整流器及び電圧制御回路を備えていることを特徴とする請求項１ないし４のいずれかに記載の直管形ＬＥＤランプ。
【請求項６】
前記直管形ＬＥＤランプは防水性を具備していることを特徴とする請求項１ないし５のいずれかに記載の直管形ＬＥＤランプ。
【発明の詳細な説明】
【技術分野】
【０００１】
本発明は既存の直管形蛍光灯用の照明器具に適用できる直管形ＬＥＤランプに関する。特に防水タイプの照明器具に、前記蛍光灯に代えて適合して装着可能な直管形ＬＥＤランプ関する。なお、本発明において、「防水」の用語は「防塵」の機能も含む概念として用いられている。
【背景技術】
【０００２】
従来、直管形蛍光灯用の防水タイプの照明器具として、例えば図９に示すような構成を具備した照明器具が一般に知られている（例えば、特許文献１参照）。
【０００３】
本発明の直管形ＬＥＤランプは、上記照明器具のような構成を具備した照明器具（既存の照明器具）に、直管形蛍光灯に代えて適合して装着可能に構成したものである。そこで、まづ、前記照明器具（既存の照明器具）の構成等について、図９を参照して説明する。なお、一部の構成等については図３ないし図５等も合わせて参照して説明する。
【０００４】
図９に示すように、前記照明器具１は、照明器具本体１０と、この照明器具本体１０に装着される直管形蛍光灯２とを備える。前記照明器具１（器具本体１０）は４０Ｗ型の直管形蛍光灯用に構成されている。なお、２０Ｗ型，３０Ｗ型，８０Ｗ型，１１０Ｗ型その他のワット数型の直管形蛍光灯用においても、サイズ等以外については、略同様に構成される。
【０００５】
前記器具本体１０は、図示しない天井部その他の被設置部に取付けられるシャーシ１１と、シャーシ１１の両端部に固定して対設した一対のソケット３，３とを備える。シャーシ１１には、図示しない安定器やインバータ回路その他の必要ないし所望の電気部品や電子部品（電子回路）等が内蔵されている。
【０００６】
前記両ソケット３は、防雨や防湿などの防水機能（防塵機能も含む）を有する防水用ランプソケットで、一般に防水ソケットと称されている。両ソケット３はプラスチック等で形成され、シャーシ１１に固定して取付ける取付部３０と、取付部３０に一体成形して設けたソケット本体３１とを有し、ソケット本体３１の外周面にはネジ溝３２（雄ネジ）が刻設されている。また、ソケット本体３１の基端には、ソケット本体３１の外径の寸法より大径の環状フランジ３１ａが形成されている。
【０００７】
また、器具本体１０は、蛍光灯２の両端部に長手方向に移動可能に嵌合すると共にソケット本体３１に螺合して取付けられる略円筒状のカバーキャップ４，４と、蛍光灯２の両端部に長手方向に移動可能に嵌合して前記キャップ４と蛍光灯２の両端部の外周面との間に介装して設けられる略円筒状の弾性防水パッキン５，５とを備える。両ソケット本体３１はキャップ４及びパッキン５により防水機能（防塵機能も含む）が付与される。
【０００８】
両ソケット本体３１は、図３（ｃ）に詳細に示すように、蛍光灯２の後述する一対のピン端子を係脱可能に係合させて電気的に接続させる一対の接続端子３３，３３を備える。両ソケット３の両ソケット本体３１（本体３１の前面）間の寸法は、装着する直管形蛍光灯に応じ、規定した寸法に設定される。例えば、４０Ｗ型の蛍光灯の場合には、例えば１２００ｍｍに設定される。
【０００９】
両ソケット本体３１は、図３（ｂ）及び（ｃ）に詳細に示すように、ソケット本体３１の外周部近くに位置させて、外周部に沿わせて形成した円形の環状凹部３４を備える。前記凹部３４はパッキン５の後述する第２の円筒部を係入させるために設けたものである。この点については追ってさらに説明する。前記両接続端子３３はシャーシ１１内に配線した電気コード３５と電気的に接続されている。
【００１０】
前記蛍光灯２は、一般に市販されている通常の直管形蛍光灯（この例では４０Ｗ型）である。蛍光灯２は、所定の直径（外径）、この例では例えば２５ｍｍ径のガラス管よりなる発光管２０と、この発光管２０の両端部に嵌合固定して設けた金属製の口金部２１，２１とを備える。両口金部２１は発光管より径寸法（直径）が若干小径に形成されていると共に先端から前記接続端子３３に電気的に接続される、それぞれ一対のピン端子２２，２２が突設されている。
【００１１】
前記蛍光灯の全長、即ち、一方の口金部２１の先端から他方の口金部２１の先端までの長さは、ワット数に応じて設定される。この例では４０Ｗ型の蛍光灯が開示され、前記長さは例えば１１９８ｍｍ（この例では１１９８ｍｍ）に設定されている。
【００１２】
前記両カバーキャップ４はプラスチック等で形成され、前記蛍光灯２の両端部に、長手方向に移動可能に嵌合する嵌合筒部４０と、この筒部４０の一端部側に外方へ拡径するテーパ壁部４１（図４も参照）を介して延設され、前記筒部４０より大径に形成したネジ筒部４２を備える。ネジ筒部４２の内周面には、ソケット本体の前記ネジ溝３２と螺合するネジ溝４３が刻設されている。両キャップ４はネジ筒部４２をソケット本体３１に螺合してソケット３に取付けられる。
【００１３】
また、両キャップ４は、嵌合筒部４０の他端周縁に沿わせて内側方向へ略直角に延設され、蛍光灯２の端部に、長手方向に移動可能に嵌合可能な環状フランジ部４４を備える。これにより、前記パッキン５は、前記フランジ部４４により嵌合筒部４０の他端方向への動きを規制され、かつ、フランジ部４４で押圧されてキャップ４と同調して前進移動させるように構成してある。なお、前記嵌合筒部４０，テーパ壁部４１，ネジ筒部４２、及びフランジ部４４は一体成形されている。
【００１４】
前記両パッキン５は、ゴム材その他の弾性変形可能な素材で形成されている。両パッキン５はキャップ４内に収容可能に形成され、蛍光灯２の両端部に長手方向に移動可能に嵌合する第１の円筒部５０と、この円筒部５０の一端部側に外方へ突出する環状鍔部５１（図５も参照）を介して延設され、ソケット本体３１の環状凹部３４に係合（係入）される第２の円筒部５２とを備える。前記第１の円筒部５０，環状鍔部５１、及び第２の円筒部５２は一体成形されている。
【００１５】
前記第１の円筒部５０の長さの寸法Ｘ１は、キャップ４の嵌合筒部４０の一端Ｐ１から環状フランジ部４４の内周壁面までの長さの寸法Ｘ２より所望の長さ（例えば約２〜約３ｍｍ程度）だけ長く設定されている。第１の円筒部５０の肉厚はキャップ４の前記フランジ部４４の長さ、即ち、嵌合筒部４０の内周壁面から前記フランジ部４４の先端までの長さ寸法と略同等（略同一）の寸法に設定されている。
【００１６】
前記パッキン５の環状鍔部５１の第１の円筒部５０側には、キャップ４のテーパ壁部４１と対応するテーパが付与されていると共に第２の円筒部５２側は平坦面で形成されている。これにより、前記鍔部５１は、前記テーパを付与した部位がキャップ４のテーパ壁部４１と適合して密接すると共に前記平坦面がソケット本体３１の前面と密接して当接するように構成してある。
また、前記鍔部５１の外径はキャップ４のネジ筒部４２の内径と略同径に形成されている。
【００１７】
前記パッキン５の第１の円筒部５０は、円筒部５０の後端部側（図９（ｅ）において右側端部側）の近くに位置させて、円筒部５０の外周壁面にエンドレスに凹設して形成した環状凹溝５３を備える。この凹溝５３の作用等については追って説明する。
【００１８】
また、図示の器具本体１０は、前記蛍光灯の端部に、長手方向に移動可能に嵌合し、前記両キャップ４の嵌合筒部４０内に収納して設けられる金属製のリング６を備える。リング６は所望の肉厚に形成される。なお、リング６の構成については図７に詳細に開示されている。
【００１９】
次に、前記蛍光灯２の器具本体１０への装着方法及び作用等について説明する。
【００２０】
まず、両キャップ４の嵌合筒部４０内にリング６を収納すると共にパッキン５を第１の円筒部５０側から嵌合筒部４０内へ収納する。次いで、上記状態で両キャップ４をパッキン５と一緒に環状フランジ部４４側から前記蛍光灯２の両端部にそれぞれ嵌合する。
【００２１】
そして、上記状態で蛍光灯２の両端の一対のピン端子２２を器具本体１０のソケット本体３１の接続端子３３へ係合して電気的に接続し、両キャップ４のネジ筒部４２をソケット本体３１に螺合して締付けることにより、蛍光灯２は器具本体１０に装着される。
【００２２】
上記装着状態において、パッキン５の第２の円筒部５２は環状凹部３４に嵌入（係入）され、環状鍔部５１の平坦面側がソケット本体３１の前面と密接して当接すると共に、前記鍔部５１のテーパを付与した部位はキャップ４のテーパ壁部４１と適合して密接する。
【００２３】
一方、図９（ｃ）に示すように、パッキン４の第１の円筒部５０は、前記ネジ筒部を締付けることにより環状凹溝５３を介して弾性的に変形して収縮（圧縮）すると共に円筒部５０の前記溝５３の部位は弾性的に変形して内側へ突出し、蛍光灯２の外周壁面に環状に密接して当接する。これにより、前記凹溝５３の部位はＯパッキン状の作用をなす。
【００２４】
したがって、蛍光灯２は、両端部に防水及び防塵機能を付与して両ソケット３に装着されて器具本体１０に取付けられる。
【００２５】
ところで、近時においては、ＬＥＤ（発光ダイオード）を光源として使用した直管形ＬＥＤランプが開発され、一般に普及している（例えば、特許文献２等参照）。特許文献２等に記載の直管形ＬＥＤランプ（先行技術のＬＥＤランプ）によれば、直管形蛍光灯に比べて電力消費量の削減化及び長寿命化を図ることができる。
【００２６】
しかし、先行技術のＬＥＤランプを含め、従来の直管形ＬＥＤランプは、一般に所望長さの一対の半円管状のカバー体（管構成体）を接着等により固着して形成した円形管状体内に、所望数のＬＥＤを配設した基板、整流器、及び電圧制御回路等を設けてランプ本体が構成されている。また、上記のように構成した従来のランプ本体は、ランプ本体の外径が直管形蛍光灯の管径に比べて大径にされている。そのため、上記構成の直管形ＬＥＤランプを図９に示す防水タイプの直管形蛍光灯用の照明器具の器具本体に前記蛍光灯に代えて装着することはできなかった。しかるに、前記防水タイプの照明器具に適用可能な直管形ＬＥＤランプは未だ提案されていない。
【先行技術文献】
【特許文献】
【００２７】
【特許文献１】特開２００５−５６７７３号公報
【特許文献２】特開２００９−３０２０２８号公報
【発明の概要】
【発明が解決しようとする課題】
【００２８】
本発明は上記したような実情に鑑みてなされたもので、既存の直管形蛍光灯用の防水タイプの照明器具に、前記蛍光灯に代えて適合して装着して使用可能な直管形ＬＥＤランプを提供することを目的とするものである。
【課題を解決するための手段】
【００２９】
上記目的を達成するため、本発明のうち１つの発明（第１の発明）は、対設した一対のソケットを有する照明器具本体と、直管形蛍光灯の両端部に長手方向に移動可能に嵌合すると共に前記両ソケットのソケット本体に螺合して取付けられる略円筒状のカバーキャップと、前記蛍光灯の両端部に長手方向に移動可能に嵌合して前記キャップと前記蛍光灯の外周面との間に介装され、かつ、前記キャップと同調して前進移動させる略円筒状の弾性防水パッキンとを備え、前記蛍光灯の両端の一対のピン端子を前記両ソケット本体の接続端子に電気的に接続した状態で前記両キャップを前記ソケット本体にそれぞれ螺合して前記蛍光灯を前記器具本体に装着するように構成した既存の照明器具に、前記蛍光灯に代えて前記器具本体に適合して装着可能な直管形ＬＥＤランプであって、
円形パイプ状に一体成形した円形管体と、前記円形管体内に固定して前記円形管体の一端部から他端部に掛けて設けた基板と、前記基板に長手方向に所望の間隔で配設した複数個のＬＥＤとを有し、前記各ＬＥＤを光源として使用するランプ本体と、
前記ランプ本体の両端部から突出させて設け、前記両ソケット本体の前記接続端子に適合して電気的に接続される、それぞれ一対のピン端子とを備え、
前記ランプ本体の前記円形管体はプラスチック製管体で構成され、
前記円形管体の外径の寸法は前記直管形蛍光灯の外径の寸法と同一又は略同一寸法に形成されていることを特徴とする。
【００３０】
なお、本発明において、「防水」の用語は、「防塵」の意味も含む概念として用いられている。
【００３１】
本発明の他の１つの発明（第２の発明）は、第１の発明の直管形ＬＥＤランプにおいて、前記ランプ本体の前記円形管体はポリカーボネート製管体で構成されていることを特徴とする。
【００３２】
本発明のさらに他の１つの発明（第３の発明）は、第１又は第２の発明の直管形ＬＥＤランプにおいて、前記基板は前記ランプ本体の前記円形管体内を長手方向に略二分するように配置して設けられていることを特徴とする。
【００３３】
本発明のさらに他の１つの発明（第４の発明）は、第１ないし第３のいずれかの発明の直管形ＬＥＤランプにおいて、前記ランプ本体の前記円形管体は、前記ＬＥＤの光の投射側と反対側の部位における前記円形管体の外周面又は内周面の略全域に施された放熱性塗膜層を有していることを特徴とする。
【００３４】
本発明のさらに他の１つの発明（第５の発明）は、第１ないし第４のいずれかの発明の直管形ＬＥＤランプにおいて、前記ランプ本体は、前記基板に固定して前記円形管体内に設けた整流器及び電圧制御回路を備えていることを特徴とする。
【００３５】
本発明のさらに他の１つの発明（第６の発明）は、第１ないし第５のいずれかの発明の直管形ＬＥＤランプにおいて、前記ＬＥＤランプは防水性を具備していることを特徴とする。
【発明の効果】
【００３６】
本発明によれば次のような効果を奏する。
（１）既存の直管形蛍光灯用の防水タイプの照明器具の照明器具本体に、前記蛍光灯に代えて適合して装着して使用できる。
（２）前記照明器具の有する防水機能を維持して直管形ＬＥＤランプを装着することができる。
（３）前記照明器具の器具本体に簡単に装着して使用することができる。
（４）第４の発明によれば、前記諸効果に加え、前記円形管体内の前記ＬＥＤの光の投射側と反対側の部位に発生する熱を前記円形管体外へ効率良く放出（放射）することができる。
（５）第６の発明によれば、前記諸効果に加え、直管形ＬＥＤランプ自体も防水効果を奏する。
【図面の簡単な説明】
【００３７】
【図１】本発明の一実施形態の直管形ＬＥＤランプの構成を概略的に示す図であって、同図（ａ）は前記ランプを照明器具本体に装着した状態を示す照明器具全体の説明正面図、同図（ｂ）は前記ランプを示す説明平面図、同図（ｃ）は前記照明器具の一部を拡大して示す説明正面図である。
【図２】前記直管形ＬＥＤランプの構成を概略的に示す図であって、同図（ａ）は前記ランプの一部を示す説明側面図、同図（ｂ）は同じく説明平面図、同図（ｃ）は同図（ａ）のＡ−Ａ線拡大説明断面図ある。
【図３】前記照明器具に採用されているソケットの構成を概略的に示す図であって、同図（ａ）は説明側面図、同図（ｂ）は説明縦断面図、同図（ｃ）は説明正面図である。
【図４】前記照明器具に採用されたカバーキャップの構成を概略的に示す説明図であって、同図（ａ）は説明縦断面図、同図（ｂ）は説明正面図である。
【図５】前記照明器具に採用された弾性防水パッキンの構成を概略的に示す図であって、同図（ａ）は説明縦断面図、同図（ｂ）は説明正面図、同図（ｃ）は説明背面図である。
【図６】前記パッキンを前記キャップ内に嵌入して収容（収納）した状態の構成を概略的に示す説明縦断面図である。
【図７】前記キャップ内に設けられるリングの構成を概略的に示す説明斜視図である。
【図８】前記直管形ＬＥＤランプを前記照明器具の照明器具本体に装着する工程を概略的に示す説明図であって、同図（ａ）は前記パッキン及びキャップを前記ランプの一端部に嵌合した状態の構成を概略的に示す説明図、同図（ｂ）は前記ランプを前記器具本体に装着した状態の構成を概略的に示す説明図である。
【図９】本発明の前記ランプを適用する既存の防水タイプの直管形蛍光灯用の照明器具の構成を概略的に示す図であって、同図（ａ）は前記蛍光灯を照明器具本体に装着した状態を示す照明器具全体の説明正面図、同図（ｂ）は前記蛍光灯を示す説明正面図、同図（ｃ）は前記蛍光灯を前記器具本体に装着する工程を概略的に示す説明図、同図（ｄ）は前記照明器具に採用されたカバーキャップの構成を概略的に示す説明縦断面図、同図（ｅ）は前記照明器具に採用された弾性防水パッキンの構成を概略的に示す説明縦断面図である。
【発明を実施するための形態】
【００３８】
以下、図面を参照して本発明の実施形態の一例について説明する。なお、照明器具１の照明器具本体１０については、カバーキャップ４及び弾性防水パッキン５を含めて図９に開示して説明した器具本体１０と同一であるため、同一符号を付して説明を省略する。但し、一部の構成及び作用等については補足して説明することもある。
【００３９】
図１ないし図８は本発明の一実施形態を示す。本実施形態の直管形ＬＥＤランプ１００は、光源としてＬＥＤ（発光ダイード）を使用し、４０Ｗ型に構成されている。
【００４０】
図１ないし図８に示すように、本実施形態の直管形ＬＥＤランプ１００は、ランプ本体７と、ランプ本体７の両端から突出させて設け、両ソケット本体３１の接続端子３３，３３に適合して電気的に接続する一対のピン端子８，８とを備える。
【００４１】
ランプ本体７は、光源として複数個のＬＥＤ（発光ダイオード）を使用して構成されている。本実施形態のランプ本体７は、後述する所定の直径及び長さの円形管体７０と、円形管体７０内に固定して円形管体７０の一端部から他端部に掛けて設けた基板７１とを備え、基板７１にワット数に対応させる複数個のＬＥＤ７２…７２が基板７１の長手方向に所望の略一定の間隔で配設されている。本実施形態ではＬＥＤ７２としてチップ形のＬＥＤを採用している。
【００４２】
本実施形態の基板７１は、ランプ本体７の円形管体７０内を長手方向に略二分するように配置して設けてある。これにより、円形管体７０内には、図２（ｃ）に示すように、基板７１を仕切壁とする２つの室７６ａ，７６ｂが形成されている。
【００４３】
前記円形管体７０は、ポリカーボネートその他のプラスチックで円形パイプ状に一体成形したプラスチック製管体で構成されている。本実施形態の円形管体７０はポリカーボネート製管体で構成されている。ポリカーボネートは融点が高く（熱安定性に優れ）、機械的強度が大きい等の特性を有している。また、耐候性にも優れている。
【００４４】
ランプ本体７は、円形管体７０の両端に強固に固定して設けた金属製や硬質プラスチック製等の口金部７３，７３を備える。本実施形態では金属製の口金部を採用し、管体７０の両端に嵌合すると共に固着して設けてある。また、本実施形態では、両口金部７３を防水性を付与させて管体７０に固着して設けてある。これにより、ＬＥＤランプ１００は防水性を具備するように構成されている。
前記両口金部７３は、その外径が円形管体７０の外径より微かに大径になっているが、カバーキャップ４が管体の長手方向に移動可能に嵌合し得る径に形成されている。
【００４５】
前記各ピン端子８は両口金部７３から突出させて設けてある。
【００４６】
ランプ本体７内には、整流器７４（ＡＣ／ＤＣ変換器）及びトランスその他の所望の電圧制御回路（図示せず）等が固定して設けてある。本実施形態では、図２（ｃ）に示すように、基板７１のＬＥＤ７２側と反対側の面に整流器７４等を固定して設けた例が開示されている。整流器７４はピン端子８に電気的に接続されていると共に電圧制御回路に電気的に接続されている。また、各ＬＥＤ７２は電圧制御回路に電気的に接続されている。
【００４７】
前記基板７１は、上述したように円形管体７０内の一端部から他端部に掛けて固定して設けてある。本実施形態では、図２（ｃ）に示すように、円形管体７０の略中央部における内壁面に相対向させると共に管体７０の一端部から他端部に掛けて設けた案内係合溝部７５，７５を備える。そして、基板７１の両側縁部を両係合溝部７５に係合させると共に、溝部７５に沿ってスライドさせて管体７０内に固定して設けるように構成されている。これにより、前記基板７１は、円形管体７０の略中央部に位置させて、円形管体７０内の一端部から他端部に掛けて固定して設けられる。
【００４８】
なお、上記の場合において、基板７１は、ＬＥＤ７２，整流器７４及び電圧制御回路等を固定して配設した状態で上述した手順により溝部７５に係合すると共にスライドさせて管体７０内に固定して設けられる。
【００４９】
前記円形管体７０のＬＥＤ７２からの光の投射側（例えば、図１（ｃ）、図２（ａ）、図２（ｃ）において下半部側、即ち前記一方の室７６ａ側）は、無色透明又は半透明、或いは白色系ないし乳白色系の色等で着色し、投光性を付与させるように構成されている。これにより、各ＬＥＤ７２から投射される光は管体７０の前記下半部側を透過し、照明光として照射される。
【００５０】
一方、前記円形管体７０は、前記管体７０のＬＥＤからの光の投射側と反対側（例えば、図１（ａ）、図２（ａ）、図２（ｃ）において上半部側、即ち前記他方の室７６ｂ側）の部位に、図２（ｃ）に示すように、前記管体７０の前記部位における外周面又は内周面の略全域に施した放熱性塗膜層９を有している。
【００５１】
前記塗膜層９は、例えば放熱性塗料等を前記管体７０の前記部位へ塗装する等により形成できる。前記塗膜層９の層厚は特に限定されないが、例えば約２０〜５０μｍ程度の範囲を挙げることができる。但し、上記範囲内に限定するものではない。
【００５２】
上記により、円形管体７０の前記部位には優れた放熱作用が付与される。したがって、管体７０の前記室７６ｂ内に発生する熱を管体７０外へ効率よく放出（放射）することができる。
【００５３】
なお、本実施形態では、図２（ｃ）に示すように、前記塗膜層９を円形管体７０の外周面に施した例を開示したが、前記塗膜層９は円形管体７０の内周面に施す構成を採用してもよい。これによっても上記と同様の放熱効果を奏する。
【００５４】
而して、本発明の上記構成を具備したランプ本体７は、ランプ本体７の円形管体７０の直径（外径）の寸法を、上述した直管形蛍光灯２（蛍光灯２の発光管２０）の直径（外径）の寸法と同一又は略同一寸法に設定して形成されている。
【００５５】
上述した例では、４０Ｗ型の直管形蛍光灯２が開示され、この蛍光灯２の発光管２０は外径２５０ｍｍのガラス管で構成されている。一方、本実施形態の直管形ＬＥＤランプ１００も４０Ｗ型のＬＥＤランプで構成した例が開示されている。したがって、本実施形態の円形管体７０の外径は蛍光灯２と対応して、２５０ｍｍないし略２５０ｍｍに形成されている。
【００５６】
また、前記ＬＥＤランプ１００の全長、即ち、一方の口金部７３の先端から他方の口金部７３までの長さは、前記蛍光灯２の全長、即ち、一方の口金部２１の先端から他方の口金部２１の先端までの長さの寸法と同一又は略同一寸法に形成されている。
【００５７】
本実施形態の直管形ＬＥＤランプ１００は上記構成を具備している。次に前記ＬＥＤランプ１００の装着方法の一例及び作用効果等について説明する。
【００５８】
図８（ａ）に示すように、前記蛍光灯２の装着手順と同様に、まづ、両キャップ４の嵌合筒部４０内へリング６を収納すると共にパッキン５を第１の円筒部５０側からキャップ４内へ収納する。次いで、上記状態で両キャップ４をパッキン５と一緒に環状フランジ部４４側からＬＥＤランプのランプ本体７の両端部にそれぞれ嵌合する。
【００５９】
そして、上記状態で、図８（ｂ）に示すように、ＬＥＤランプの両端の一対のピン端子８を器具本体１０のソケット本体３１の接続端子３３へ係合して電気的に接続し、両キャップ４のネジ筒部４２をソケット本体３１に螺合して締付けることにより、ＬＥＤランプ１００は器具本体１０に装着される。
【００６０】
上記状態において、パッキン５の第２の円筒部５２は、上記と同様に環状凹部３４に嵌入（係入）され、環状鍔部５１の平坦面側がソケット本体３１の前面と密接して当接すると共に前記鍔部５１のテーパを付与した部位はキャップ４のテーパ壁部４１と適合して密接する。
【００６１】
一方、図８（ｂ）に示すように、パッキン５の第１の円筒部５０は、前記ネジ筒部の締付けにより押圧されて環状凹溝５３を介して弾性的に変形して圧縮（収縮）すると共に円筒部５０の前記凹溝５３の部位は弾性的に変形して内側へ突出し、円形管体７０の外周壁面に環状に密接して当接する。これにより、前記凹溝５３の部位はＯパッキン状の作用をなす。
【００６２】
したがって、ＬＥＤランプは、両端部に防水及び防塵機能を付与して両ソケット３に装着されて器具本体１０に取付けられる。
【００６３】
また、両キャップ４のネジ筒部４２を緩めて前記螺合を解除して両キャップをランプ本体７の円形管体７０上を後退させ、ピン端子の接続端子との係合を解除することにより、ＬＥＤランプ１００を器具本体１０から取外すことができる。
【００６４】
上記した手順によって、ＬＥＤランプを既存の蛍光灯用の照明器具に装着して使用するものであるが、使用する際には、器具本体１０のシャーシ１１に配置されている安定器配線を切断して直結配線を行なう工事をすることが好ましい。
【００６５】
本実施形態の直管形ＬＥＤランプによれば、次のような作用効果を奏する。
（１）既存の直管形蛍光灯用の防水タイプの照明器具の照明器具本体に、前記蛍光灯に代えて適合して装着して使用できる。
（２）前記蛍光灯と同様の操作により器具本体に簡単に装着して使用可能になる。
（３）前記既存の照明器具の有する防水機能をそのまま活用して直管形ＬＥＤランプを装着することができる。
（４）直管形ＬＥＤランプ自体も防水効果を奏する。
（５）円形管体内のＬＥＤの光の投射側と反対側の部位に発生する熱を前記管体外へ効率よく放出（放射）することができる。
（６）器具本体に装着した直管形ＬＥＤランプが器具本体から脱落して落下するのを防止できる。
【００６６】
なお、本実施形態の直管形ＬＥＤランプは、既存の非防水タイプの直管形蛍光灯用の照明器具の器具本体に直管形蛍光灯に代えて装着して使用可能なこと勿論である。
【００６７】
また、本実施形態では４０Ｗ型に構成した例を開示したが、本発明は、例えば２０Ｗ型、８０Ｗ型、或いは１１０Ｗ型その他のワット数の直管形ＬＥＤランプにおいても適用できるものである。
【００６８】
なお、上記した実施形態は一例として開示したもので、本発明は上記の実施形態に限定されるものではなく、特許請求の範囲に記載の技術思想を越脱しない範囲内において任意に変更可能なものである。
【符号の説明】
【００６９】
１        照明器具
２        直管形蛍光灯
３        ソケット
４        カバーキャップ
５        弾性防水パッキン
７        ランプ本体
８        ピン端子
９        放射性塗膜層
１０      照明器具本体
３０      取付部
３１      ソケット本体
３３      接続端子
４０      嵌合筒部
４２      ネジ筒部
７０      円形管体
７１      基板
７２      ＬＥＤ
【図１】
2015088441.tif 000003
【図２】
2015088441.tif 000004
【図３】
2015088441.tif 000005
【図４】
2015088441.tif 000006
【図５】
2015088441.tif 000007
【図６】
2015088441.tif 000008
【図７】
2015088441.tif 000009
【図８】
2015088441.tif 000010
【図９】
2015088441.tif 000011